(57)【要約】【課題】  テレビ視聴機能を有するPCに関わり、テレビ視聴だけを行う場合の消費電力の削減および起動時間や終了時間の短縮を可能にする。【解決手段】  リモコンの電源スイッチの押下したときに、TV視聴を開始すると共に裏でOSを起動するPCモードとOSを起動せずにTV視聴するTVモードを選択できるように、システム制御部の不揮発性記憶領域内に起動モードフラグを設けた。これによってTV視聴だけを行う場合TVモードを選択して起動することにより、OSの起動／停止処理が不要になり、TV視聴開始／終了の処理時間を短縮することができるようになった。また、ＴＶモードではTV視聴に不要なデバイスを停止あるいは電源供給を止めるようにした。【選択図】  図１
2008066810.tif 000002
【特許請求の範囲】
【請求項１】
TV放送波を受信してTV映像、TV音声を出力するTV受信制御部と、TV機能の視聴操作情報を入力するリモコンと、前記リモコンから受信した情報をシステム制御部およびTV受信制御部に伝える手段を有するテレビ機能付きPCにおいて、
前記システム制御部内に、システムを起動するため前記リモコンの電源スイッチが押下されたときにOSを起動せずにTV視聴だけを行うか、TV視聴をしながらOSを起動するかを選択する手段を設けたことを特徴とするテレビ機能付きPC。
【請求項２】
請求項1に記載のテレビ機能付きPCにおいて、
TV視聴だけを行う状態では、CPUのクロック停止、オプティカルディスクドライブ(ODD)、ハードディスクドライブ(HDD)の停止などTV視聴に不要なデバイスを停止あるいは電源供給を止めることを特徴とするテレビ機能付きPC。
【請求項３】
請求項１または請求項２に記載のテレビ機能付きPC のTV受信制御部に不揮発性メモリを設け、OS上のTV視聴アプリケーションでTVを視聴する場合には、TV視聴終了時に終了時のチャネル情報、音量情報などを前記不揮発性メモリに書き込み保持するテレビ機能付きPCにおいて、
TV視聴だけを行う状態では、TV視聴終了時に終了時のチャネル情報、音量情報の前記不揮発性メモリへの書き込みを行わないように制御することにより、TV受信制御部の状態に関わらずシステムの電源を断つこと可能にしたことを特徴とするテレビ機能付きPC。
【発明の詳細な説明】
【技術分野】
【０００１】
本発明はテレビ視聴機能を有するPCに関わり、特にテレビ視聴だけを行う場合の消費電力の削減および起動時間や終了時間の短縮を可能にする技術に関する。
【背景技術】
【０００２】
近年、TV放送の受信、視聴を可能にしたPC(以下、TV機能付きPC)が開発され、PCをTV装置の代わりとして利用可能となったTVもPCも快適に利用するためにはそれなりの大きさのディスプレイが必要であり、PCでTV放送の受信することができTV装置の代用にすることができれば省スペース、省エネルギー観点からも好ましい。
【０００３】
また、オペレーティングシステム(以下OS) 上の1アプリケーションとしてTV視聴を実現しているTV機能付きPCでは、PCで他のアプリケーションを実行しながらＴＶ視聴をすることもできる。
【０００４】
一方でOS上の1アプリケーションとしてTV視聴を実現する場合、TV視聴のみが目的の場合でも、システム起動／終了時にOS起動／終了処理を実行するため、システムの起動／終了に時間を要するという課題がある。また、TV視聴に不要なデバイスにも通常動作時と同様に電源供給するため、消費電力が多くなるといった課題がある。
【０００５】
これらの課題を解決する技術として、例えば特許文献１「パソコンを使用したテレビ視聴システム」、特許文献２「パーソナルコンピュータ」に開示されている技術が知られている。
【０００６】
特許文献１では、PC装置の電源オン／オフを検知し、PC装置の電源がオフの場合はPC装置を介さずTVチューナモジュールの出力を直接モニタに出力して、TV視聴だけを行う場合の起動時間の短縮、消費電力を低減する技術が開示されている。
【０００７】
特許文献２では、リモコンからの入力信号よりパソコンモード、テレビモードを判別し、PC内に設けられたスイッチを用いて、電源供給を演算処理部、チューナカードのどちらか一方へのみ供給することにより消費電力を抑える技術が開示されている。
【０００８】
【特許文献１】特開2002-142161号公報
【特許文献２】特開平6-110590号公報
【発明の開示】
【発明が解決しようとする課題】
【０００９】
特許文献１に開示されている技術によれば、PC装置の電源がオフの場合、TVを視聴するまでの時間を短縮すると共に、低消費電力でのTV視聴できるが、装置の構成上PC、TV装置用に電源系及び制御機構を2重に持つ必要がある。
【００１０】
特許文献２に開示されている技術によれば、低消費電力でTV視聴できるが、チューナカードと演算処理部に同時には電源供給されないため、TV視聴と同時に他のアプリケーションを実行することはできない。また、TV視聴からPCシステムを起動する場合、PC内に設けられたスイッチを切り替えるため、一度システムの電源をオフしてパソコンモードで再起動する必要がある。
【００１１】
本発明の目的はTV機能付きPCにおいて、電源や制御機構を2重化することなく、TV視聴のみを行う場合はTV視聴開始／終了の処理時間を短縮すること、また低消費電力でのTV視聴を可能にすることにある。
【課題を解決するための手段】
【００１２】
上記課題を解決するために、本発明のTV機能付きPCでは、PCにTVチューナ、TV制御部を持つTVボード部を設け、モニタおよびスピーカの入力にセレクタを設けTVボード部からのTV映像／音声とPCのシステム制御部からのPC映像／音声とを切り替えられるようにした。また、リモコンからのTV制御情報をTVボードおよびPCのシステム制御部の双方で制御できるようにした。これによってPCのシステム制御部の持つCPUを用いることなく、またOSを起動せずにTV視聴できるようにした。
【００１３】
さらに、リモコンの電源スイッチの押下したときに、TV視聴を開始すると共に裏でOSを起動するPCモードとOSを起動せずにTV視聴するTVモードを選択できるように、システム制御部の不揮発性記憶領域内に起動モードフラグを設けた。
【００１４】
これによってTV視聴だけを行う場合TVモードを選択して起動することにより、OSの起動／停止処理が不要になり、TV視聴開始／終了の処理時間を短縮することができるようになった。
【００１５】
また、不揮発性メモリへの書き込み処理中に給電が停止されると不揮発性メモリの内容が破壊されてしまうおそれがあるため、TVモードではTVボード部の不揮発性メモリへの書き込み処理を行わないようにした。これによって、システム制御部がTVボード部の処理状態に無関係にシステムへの給電を停止することができるようにした。
【００１６】
また、TVモードではCPUのクロックを止め、ODDやHDDの動作を抑止することにより消費電力を削減することができるようになった。
【発明の効果】
【００１７】
本発明によればTV機能付きPCにおいて、TV視聴開始／終了処理に要する時間が短縮され、TV装置と同様に高速な起動、終了が可能となり、使い勝手が向上する。
【００１８】
また、TV表示に不要なデバイスを抑止したTV視聴が可能となるため、ユーザはOS制御下でのTV視聴と比較して少ない消費電力でTV視聴できる。
【発明を実施するための最良の形態】
【００１９】
以下、本発明の詳細について、図面を用いて説明する。
【実施例１】
【００２０】
＜実施例のシステム構成＞
最初にシステム構成を説明する。図1は本発明の実施例の構成図である。本発明を実施したシステムはシステム制御部10とTVボード部11と表示制御部12と音声制御部13と電源部102とHDD104とODD105とリモコン受信部107により構成される。
【００２１】
システム制御部10はシステムLSI101、CPU103、ROM106、主記憶108で構成されている。システム制御部の構成は一般的なPCの構成と同様であり、構成要素は他にも多々あるが、本説明に不要な構成要素は省略している。
【００２２】
システムLSI101は電源出力やCPU103のクロックの制御信号をもつ他、内部にバッテリバックアップされる記憶領域1011と内部タイマ143を持つ。記憶領域1011にはシステム設定情報が保存される他、起動モードの設定情報である起動モードフラグを保持する。
【００２３】
また、本体の電源スイッチである本体SW141が押下されると、システムLSI101に通知される。
【００２４】
なお、本実施例ではシステムLSI101内のバッテリバックアップされる記憶領域1011に起動モードフラグを設けているが、後述の図3のフローチャートで説明される起動要因の判別の際に設定値を読み出すことができればよいため、システムLSI101以外の不揮発な記憶領域に設けてもよい。
【００２５】
電源部102はシステムLSI101に制御され、主電力線150と待機電力線151の2種類の出力を有している。システムに電源を投入するとシステム制御部10、TVチューナ部11、表示制御部12、音声制御部13に電源を供給する。一方、待機電力は電源部102にAC電源が供給されるとシステムLSI101及びリモコン受信部107に電源を供給する。
【００２６】
リモコン受信部107はTV機能を制御するリモコン信号を受信処理した後、信号線152を介してシステムLSI101及びTV部制御LSI111に受信した情報を伝送する。
【００２７】
リモコンは多くのスイッチを有するが、本実施例の説明に関連の深い電源スイッチであるリモコンSW142だけを図示している。
【００２８】
TV機能を制御するTVボード部11はTV部制御LSI111、チューナユニット112、不揮発性メモリ113、揮発性メモリ114から構成される。TVボード部の構成要素はその他、多々あるが、本説明に不要な構成要素は省略している。
【００２９】
不揮発性メモリ113にはTV部制御LSI111が起動時に実行するプログラムコード及びチャネル情報及び音量情報を保持する。
【００３０】
表示制御部12はモニタ121、表示回路122、セレクタ123で構成される。セレクタ123はシステムLSI101及びTV部制御LSI111が出力する映像信号から、モニタ121に表示する映像情報を選択する。
【００３１】
音声制御部13はスピーカ131、増幅回路132、セレクタ133で構成される。セレクタ133はシステムLSI101及びTV部制御LSI111が出力する音声信号から、スピーカ131で出力する音声情報を選択する。
＜電源制御に関連したシステムの状態遷移＞
つぎに本発明の特徴である電源制御に関連したシステムの状態遷移について図2の状態遷移図を用いて説明する。
【００３２】
本実施例では本発明の特徴である電源制御に関連した待機モード200、TVモード201、PCモード202、OSモード203の4つの状態について説明する。また、遷移条件としては本体SW141の押下、リモコンSW142の押下、内部タイマ143からの割り込みについて説明する。内部タイマ143による割り込みは、TV番組の録画を予約し、予約時間になったために発行されたものとして説明する。
【００３３】
待機モード200は本体SW、リモコンSW、内部タイマからの電源投入を待機する状態である。
【００３４】
TVモード201でリモコンSW142を押下した場合及びOSモードで本体SW141を押下した場合に待機モード200となる。また、PCモードから待機モードへ直接の状態遷移はなく、PCモードからOSモードに状態遷移した後、待機モードへと状態遷移する。
【００３５】
待機モード200では、電源部102は待機電力を出力するが、主電力は出力しないためほとんど電力を消費しない。
【００３６】
TVモード201はOS及びTV視聴アプリを起動せずにTV部制御LSI111の制御に従ってTV視聴する状態である。
【００３７】
待機モード200で記憶領域1011の起動モードフラグがTVモードに設定された状態でリモコンSW142によりシステムを起動した場合にTVモード201となる。
【００３８】
TVモード201では、電源部102は主電力を供給するが、CPU103、HDD104 、ODD105等のTV視聴に不要なデバイスの動作を抑止するため、低消費電力でTV視聴できる。
【００３９】
また、TVモード201で終了した場合はOS及びTV視聴アプリを起動していないため短時間でシステムを終了できる。
【００４０】
OS及びTV視聴アプリを起動しないTVモード201でのTV機能制御はTV部制御LSI111及びリモコン受信部107を用いる。リモコン受信部107は受信したチャネルアップダウン、チャネル選択、音量レベル調節等のTV機能制御情報をTV部制御LSI111に伝送する。TV部制御LSI111はTV機能制御情報に従ってTV機能を制御する。
【００４１】
PCモード202はOS及びTV視聴アプリを起動してTV視聴する状態であり、録画、タイムシフト再生等のTV視聴に関する全ての機能を実行できる。
【００４２】
待機モード200で記憶領域1011の起動モードフラグがPCモードに設定された状態でリモコンSW142によりシステムを起動した場合及び内部タイマ143が予め設定された時間となった場合と、TVモード201の状態で本体SW141を押下した場合及び内部タイマ143が予め設定された時間となった場合と、OSモード203でTV視聴アプリを起動した場合、にPCモード202になる。
【００４３】
PCモードでは、電源部102は主電力を供給し、全てのデバイスが有効になる。
【００４４】
また、PCモードで起動した場合はOSブートと並行してTV視聴開始されるため短時間でTV視聴を開始できる。
【００４５】
OSモード203はOSを起動し、PCとして利用可能な状態である。
【００４６】
待機モード200で本体SW141によりシステムを起動した場合及びPCモード202でTV視聴アプリを終了した場合にOSモード203となる。
【００４７】
OSモードでは、電源部102は主電力出力をし、全てのデバイスが有効になる。
＜待機モードで電源投入があった場合の処理＞
つぎに本発明の特徴であるTVモードに関連した状態遷移に伴う処理を図3のフローチャートを用いて説明する。
【００４８】
なお、本実施例では、内部タイマ143による割り込みが発生する要因として、予めTV視聴アプリにてユーザが予約録画の操作をしている場合を例に説明する。
【００４９】
待機モードでリモコンSW押下、本体SW押下、内部タイマ割り込みによる電源投入を検知すると、ステップ302でシステムのテスト、初期化を行う。ただし、ステップ302ではOSの起動に必要となるブートローダ、OSローダ等の処理は実行しない。さらに、ステップ303で電源投入情報が格納されている記憶領域1011より、電源投入要因を判別する。
【００５０】
待機モードで本体SW141が電源投入要因の場合、前記ステップ303の判別結果より、システムはOSモードの起動を開始する。ステップ314でシステムLSI101はセレクタ123及びセレクタ133をそれぞれPC映像／PC音声の表示／出力に設定する。また、ステップ315でOSの起動に必要となる処理を実行し、OSモードとなる。
【００５１】
待機モードでリモコンSW142が電源投入要因であり、記憶領域1011が保持する起動モードフラグがPCモードの場合及び待機モードで内部タイマ143が電源投入要因の場合、前記ステップ303の判別結果より、システムはPCモードの起動を開始する。
【００５２】
PCモードの起動シーケンスは、ステップ324でシステムLSI101はセレクタ123及びセレクタ133をそれぞれTV映像／TV音声の表示／出力に設定する。また、ステップ325でOSの起動に必要となる処理を実行して、ステップ326でOSを起動する。さらに、ステップ327でOS起動時に取得するスケジューラ等の起動情報(以下、起動情報)を用いて、TV視聴アプリを起動し、PCモードとなる。
【００５３】
また、PCモードで電源投入要因が内部タイマだった場合、システムは予約録画処理を行う。録画処理終了後、CPU103はTV視聴アプリを終了してシステムをOSモードとした後、システムを待機モードとする。
【００５４】
待機モードでリモコンSW142が電源投入要因であり、記憶領域1011が保持する起動モードフラグの設定情報がTVモードの場合、ステップ303の判別結果より、システムはTVモードの起動を開始する。
【００５５】
ステップ334でシステムLSI101はセレクタ123及びセレクタ133をそれぞれTV映像／TV音声の表示／出力に設定する。また、ステップ335でHDD104,ODD105のモータを停止する。さらにステップ336でシステムLSI101がCPU103のクロックを停止して、TVモードとなる。
【００５６】
システムテスト、初期化処理を含むシステムの制御はCPU103によってROM106に保持されるBIOSプログラムに従って実行されるが、TVモードに入る場合にはTV視聴に関する制御はTV部制御LSI111に委ねられ、CPU103はBIOS処理を中断し、割り込み待ち状態になる。このため、CPU103のクロックを停止することができる。
【００５７】
上述のように、TVモードではCPU103のクロック停止、HDD104、ODD105のモータを停止した状態でTV部制御LSI111の制御に従ってTV視聴できるようにする。このため、OS制御下のTV視聴アプリでTV視聴する場合と比較して低消費電力でTV視聴が可能となる。
＜TVモードで電源関連割り込みがあった場合の処理＞
つぎに本発明の特徴であるTVモード201で本体SW141押下、リモコンSW142押下 、内部タイマ143割り込みを検知して状態遷移する場合の処理を図4のフローチャートを用いて説明する。
【００５８】
本実施例では、本体SW141が割り込み信号要因の場合システムはOSを起動してPCモードとなり、リモコンSW142が割り込み信号要因の場合システムは電源をオフし待機モードとなり、内部タイマ143が割り込み信号要因の場合システムはPCモードで予約録画処理をした後、OSモードを経て待機モードとなる。
【００５９】
ステップ401で本体SW141、リモコンSW142、内部タイマ143のいずれかよりシステムLSI101が割り込み信号を検知した場合、ステップ402でシステムLSIは停止していたCPU103クロックの動作及びHDD104,ODD105のモータを始動させる。さらにステップ403で割り込み信号情報が格納されている記憶領域1011より、割り込み信号要因を判別する。
【００６０】
本体SW141が割り込み信号要因の場合、システムはステップ414でOSの起動に必要となる処理を実行し、OSを起動する。さらに、ステップ415でOS起動時に取得する起動情報により、TV視聴アプリを起動してPCモードとなる。
【００６１】
内部タイマ143が割り込み信号要因の場合、システムはステップ4204でOSの起動に必要となる処理を実行して、ステップ4205でOSを起動する。また、ステップ4206でOS起動時に取得する起動情報により、TV視聴アプリを起動してPCモードとなる。さらに、ステップ4207でTV視聴アプリを用いて所定の時間より録画処理を実行する。録画処理終了後、ステップ4208でTV視聴アプリを終了する。ステップ4209で不揮発性記憶メモリ113への書き込み処理をし、ステップ4210で電源部の主電力を停止し、待機モードとなる。
本実施例ではステップ4207の録画処理終了した後、待機モードとする処理を示したが、待機モードに遷移せずにPCモード状態を継続するようにしてもよい。
【００６２】
リモコンSW142が割り込み信号要因の場合、ステップ434で電源部102の主電力を停止し、待機モードとなる。
【００６３】
ステップ434で主電力の供給を停止する際、不揮発性メモリ113への書き込み中であるとメモリ内データが破壊されてしまうが、TVモードでは不揮発性メモリ113に書き込み処理をしないように制御しているため、TVボード部が実行中の処理と無関係に電源をオフすることができる。また、OSを起動せずにTV視聴を実現しているため、素早く待機モードにすることができる。
＜別の方法による起動モードを切り分け＞
本実施例ではシステムLSI101内の記憶領域1101に起動モードフラグを設けることによりTVモードとPCモードを切り分ける例を示したが、起動モードフラグを設ける代わりにリモコンにTVモード用とPCモード用に別の電源スイッチを設け、起動モードを切り分けてもよい。
【産業上の利用可能性】
【００６４】
TV放送の受信や制御を集約したTVボード部によってTV視聴機能を実現するPCにおいて、消費電力の削減およびTV視聴の開始／終了処理時間を短縮するために有効な技術であり、今後広く活用されることが期待される。
【図面の簡単な説明】
【００６５】
【図１】本発明の実施例の構成図である。
【図２】本発明の実施例の状態遷移図である。
【図３】本発明の実施例の起動処理流れ図である。
【図４】本発明の実施例の状態遷移流れ図である。
【符号の説明】
【００６６】
10…システム制御部、101…システムLSI、102…電源部、103…CPU、104…HDD、
105…ODD、106…ROM、107…リモコン受信部、108…主記憶、1011…内部記憶領域、
11…TVボード部、111…TV部制御LSI、112…チューナユニット、113…不揮発性メモリ、
114…揮発性メモリ、12…表示制御部、121…モニタ、122…表示回路、123…セレクタ、
13…音声制御部、131…スピーカ、132…増幅回路、133…セレクタ、141…本体SW、
142…リモコンSW、143…内部タイマ、151…主電力線、152…副線、153…信号線
【図１】
2008066810.tif 000003
【図２】
2008066810.tif 000004
【図３】
2008066810.tif 000005
【図４】
2008066810.tif 000006